(57)【要約】【課題】  集合住宅において居住者の在宅・不在時の共同玄関カメラドアホンの映像と、集合住宅内の各種情報を居住者のリクエストに応じて高速で配信することが可能な住宅情報配信システムを提供する。【解決手段】  集合住宅の各住戸に設けられた住戸通信手段１１、１２と、共同玄関に設けられ、来訪者が指定した訪問先住戸に対応した住戸信号および共同玄関の映像信号を発生するカメラドアホン２０と、ＬＡＮ回線１０を介してカメラドアホンおよび住戸通信手段に接続され、映像信号を所定の配信形式に変換して住戸信号に応じて住戸別に蓄積すると共に、所定の住戸の住戸通信手段に配信する情報配信・蓄積手段４０と、共同玄関、住戸通信手段、情報配信・蓄積手段間の信号を制御する通信制御手段３０とを備え、各住戸の住戸通信手段からの要求により情報配信・蓄積手段に蓄積された当該住戸向けの情報を閲覧可能にした構成とする。【選択図】図１
2005223623.tif 000002
【特許請求の範囲】
【請求項１】
集合住宅を構成する複数の住戸のそれぞれに設けられた住戸通信手段と、共同玄関に設けられ、来訪者が指定した訪問先住戸に対応した住戸信号および来訪者を含む共同玄関の映像信号を発生し得るようにされた共同玄関カメラドアホンと、ＬＡＮ回線を介して上記共同玄関カメラドアホンおよび住戸通信手段に接続され、上記映像信号を所定の配信形式に変換して上記住戸信号に応じて住戸別に蓄積すると共に、所定の住戸の上記住戸通信手段に配信する情報配信・蓄積手段と、上記共同玄関カメラドアホンおよび住戸通信手段並びに情報配信・蓄積手段間の信号を制御する通信制御手段とを備え、上記各住戸の住戸通信手段からの要求により上記情報配信・蓄積手段に蓄積された当該住戸向けの情報を閲覧し得るようにしたことを特徴とする住宅情報配信システム。
【請求項２】
上記各住戸別に配信する情報を編集、入力し得るようにされると共に、該情報を上記情報配信・蓄積手段に蓄積する情報編集手段を設けたことを特徴とする請求項１記載の住宅情報配信システム。
【請求項３】
上記集合住宅の外部から上記各住戸の居住者が所定の回線を経て行なう接続要求に対応して該居住者の認証を行なうと共に、上記情報配信・蓄積手段に蓄積された該居住者の住戸向けの情報を上記所定の回線に対応した配信形式に変換して外部の居住者に配信し得るようにした認証・外部配信手段を設けたことを特徴とする請求項１記載の住宅情報配信システム。
【発明の詳細な説明】
【技術分野】
【０００１】
この発明は、住宅情報配信システム、特に集合住宅を構成する複数の住戸の通信端末に、共同玄関に設置されたカメラの映像や、居住者へのメッセージや共同施設案内等の集合住宅内の情報を配信する住宅情報配信システムに関するものである。
【背景技術】
【０００２】
従来の集合住宅における情報配信システムは、共同玄関にドアホンまたはカメラドアホンを設置すると共に、各住戸内にモニタ式通信装置を設け、来訪者がドアホンまたはカメラドアホンを操作して訪問先の住戸を呼び出すと、該当する住戸の居住者が動画像を見ながら来訪者を確認し、住戸から遠隔操作によって電気錠を解錠することにより、来訪者の入館を許容していた。また、居住者の不在時にはドアホンまたはカメラドアホンからの各住戸毎の動画像および音声を所定の転送先に転送したり、蓄積装置に蓄積するようにしていた。（例えば、特許文献１参照）。
【０００３】
【特許文献１】特開平５−３２８３５６号公報（段落００１６−００２４、図１）
【発明の開示】
【発明が解決しようとする課題】
【０００４】
従来の住宅情報配信システムは以上のように構成されており、共同玄関のカメラ映像および音声を圧縮せず、内線電話網により各住戸に設置した通信端末に転送する手法であり、無圧縮のカメラ映像を内線電話網で転送しているため、内線電話網の通信速度の制限から、カメラ映像はフレームレートを落として配信することが必要であり、また、動画像の配信に時間がかかるため、居住者が動画像を見るまでに時間がかかってしまうという問題点があった。
また、従来の住宅情報配信システムは、共同玄関のカメラ映像の配信に特化したシステムであり、他の情報、例えば管理人から居住者へのメッセージ等を配信する場合には別のシステムを導入する必要があるという問題点もあった。
【０００５】
一方、近年のＡＤＳＬやＦＴＴＨ等のブロードバンドネットワークの普及により集合住宅においても既存の内線を用いたＶＤＳＬ等を使用したＬＡＮが普及しつつあり、同時に集合住宅内の共同施設案内や新しい居住者へのメッセージ等を配信する集合住宅情報配信システムの導入の要求が高くなりつつある。
【０００６】
この発明は、このような背景の下になされたもので、複数の住戸で構成される集合住宅において、共同玄関に設置されたカメラの圧縮映像を動画像にて、居住者の要求に応じて高速で配信出来るようにすると共に、居住者へのメッセージや共同施設案内等の集合住宅内情報を配信することができる住宅情報配信システムを提供することを目的とする。
【課題を解決するための手段】
【０００７】
この発明に係る住宅情報配信システムは、集合住宅を構成する複数の住戸のそれぞれに設けられた住戸通信手段と、共同玄関に設けられ、来訪者が指定した訪問先住戸に対応した住戸信号および来訪者を含む共同玄関の映像信号を発生し得るようにされた共同玄関カメラドアホンと、ＬＡＮ回線を介して上記共同玄関カメラドアホンおよび住戸通信手段に接続され、上記映像信号を所定の配信形式に変換して上記住戸信号に応じて住戸別に蓄積すると共に、所定の住戸の上記住戸通信手段に配信する情報配信・蓄積手段と、上記共同玄関カメラドアホンおよび住戸通信手段並びに情報配信・蓄積手段間の信号を制御する通信制御手段とを備え、上記各住戸の住戸通信手段からの要求により上記情報配信・蓄積手段に蓄積された当該住戸向けの情報を閲覧し得るようにしたものである。
【発明の効果】
【０００８】
この発明に係る住宅情報配信システムは、共同玄関カメラドアホンの映像をＷＥＢ配信形式で圧縮して蓄積し、蓄積情報を住戸別に管理・配信するようにしたので、在宅・不在時の共同玄関カメラドアホンの圧縮映像を、各住戸に設置された通信端末へ住戸別にＬＡＮにて高速で配信・表示できると共に、集合住宅内の各種情報を配信することができる住宅情報配信システムを安価に構築することができる。
【発明を実施するための最良の形態】
【０００９】
実施の形態１．
以下、この発明の実施の形態１を図にもとづいて説明する。図１は、実施の形態１による集合住宅情報配信システムの構成を示すブロック図である。この図に示すように、集合住宅情報配信システムは、集合住宅を構成する複数の住戸に配置された端末装置である住戸通信装置１１、１２…と、集合住宅の共同玄関に設置された共同玄関カメラドアホン２０と、集合住宅の通信を制御する通信制御装置３０と、共同玄関カメラドアホンの映像や他の配信情報の蓄積・配信を制御する情報配信・蓄積装置４０と、上記各装置を接続してＬＡＮを構築するＬＡＮ回線１０とから構成されている。
【００１０】
住戸通信装置１１、１２は、各住戸に設置された共同玄関カメラドアホン用の電話機１１１、１２１と、情報配信・蓄積装置４０から配信される情報を受信・映像化する住戸端末１１２、１２２と、住戸端末１１２、１２２で映像化された情報を表示するテレビモニタ１１３、１２３とを有する。
【００１１】
また、共同玄関カメラドアホン２０は、スピーカー２１と、マイク２２と、キーボードあるいはタッチパネルなどからなる操作部２３と、撮影した映像をＬＡＮ回線１０で転送が可能であるネットワークカメラ２４と、上記各構成要素２１〜２４をＬＡＮ回線１０に接続して映像や音声の通信を可能とする共同玄関インタフェース２５とを有する。
【００１２】
更に、通信制御装置３０は、システム内の内線通信を制御する制御部３１と、内線の相互通信、外線との通信および共同玄関カメラドアホン２０との通信の交換処理を行なう交換処理部３２と、内線インタフェース３３と、共同玄関インタフェース３４とを有しており、制御部３１が交換処理部３２の交換処理により内線インタフェース３３を介して住戸内の電話機１１１、１２１との通信や制御を行なうと共に、共同玄関インタフェース３４が制御部３１や交換処理部３２と共に共同玄関カメラドアホン２０との通信やその制御を行なうものである。
【００１３】
また、情報配信・蓄積装置４０は、共同玄関カメラドアホン２０と各住戸の電話機１１１、１２１との接続情報を通信制御装置３０から受信するインタフェースである制御インタフェース４２と、上記の接続状況に応じてカメラインタフェース４４を介して共同玄関カメラドアホン２０のネットワークカメラ２４からの映像を受信・配信形式に変換すると共に、変換した映像を蓄積部４５に住戸番号別に蓄積・管理を行なう制御部４３と、蓄積したカメラ映像やその他情報を各住戸に設置された住戸通信装置１１、１２へ配信する配信部４１とを有する。
【００１４】
次に、集合住宅情報配信システムの動作について説明する。図２は、図１に示した集合住宅情報配信システム１の動作を説明するフローチャートである。
まず、ステップＳ１で来訪者が共同玄関カメラドアホン２０の操作部２３を操作して訪問先の住戸番号を指定する。訪問先が入力されると、ステップＳ２で共同玄関カメラドアホン２０および通信制御装置３０の共同玄関インタフェース２５、３４を介して通信制御装置３０へ訪問先の住戸番号を通知する。通信制御装置３０は住戸番号を受信するとステップＳ３で制御部３１から情報配信・蓄積装置４０の制御インタフェース４２を介して情報配信・蓄積装置４０へ住戸番号を通知する。
【００１５】
情報配信・蓄積装置４０は住戸番号を受信すると、ステップＳ４で制御部４３がカメラインタフェース４４を介して、共同玄関カメラドアホン２０のネットワークカメラ２４に映像の転送要求を行なう。制御部４３は、また、ネットワークカメラ２４から転送される映像をステップＳ５でＷＥＢ配信形式に圧縮、変換し、ステップＳ３にて受信した住戸番号と対応付けてステップＳ６で蓄積部４５に蓄積を開始すると共に、ステップＳ７で住戸番号に該当する住戸通信装置の住戸端末１１２、１２２へ配信を開始する。
【００１６】
ステップＳ５におけるＷＥＢ配信形式への圧縮、変換は、ネットワークカメラ２４の映像を例えばＭＰＥＧやＭotionＪpeg等への変換と配信用ＷＥＢ情報を作成するものであり、配信用ＷＥＢ情報は配信対象の住戸番号毎に作成することにより、配信対象毎の情報提供が可能となる。
【００１７】
一方、通信制御装置３０はステップＳ３にて情報配信・蓄積装置４０へ住戸番号を通知すると共に、ステップＳ８で交換処理部３２により内線インタフェース３３を介して指定された住戸番号の電話機１１１、１２１の呼び出しを行なう。制御部３１は、一定時間以内に該当する住戸番号の居住者から応答があるか否かを判断するためステップＳ９でタイマをセットし、ステップＳ１０へ進む。ステップＳ１０では、制御部３１が、該当する住戸に配置された電話機１１１、１２１からオンフックなどの動作による応答があるか否かを判断する。
【００１８】
この判断結果が「ＹＥＳ」の場合には、図３（ａ）に示すフローチャートの１に進み、制御部３１が共同玄関カメラドアホン２０のスピーカー２１、マイク２２と住戸内の電話機１１１、１２１との回線確立を行なうと共に、ステップＳ１１で通話の終了を待つ。通話が終了すると、制御部３１はステップＳ１２で情報配信・蓄積装置４０へ通話終了を通知する。これを受けて情報配信・蓄積装置４０の制御部４３はステップＳ１３でカメラインタフェース４４を介して共同玄関カメラドアホン２０のネットワークカメラ２４に対して映像の転送終了通知を行ない、ネットワークカメラ２４は映像の転送を終了する。その後、制御部４３はステップＳ１４で当該住戸用のＷＥＢページを変更し、映像の配信を終了する。
【００１９】
一方、ステップＳ１０の判断結果が「ＮＯ」の場合には、図３（ｂ）に示すフローチャートの２に進む。すなわち、ステップＳ１５でタイマの設定時間が経過しても該当する住戸に配置された電話機１１１、１２１からオンフックなどの動作による応答がない場合には、通信制御装置３０の制御部３１はステップＳ１６で共同玄関カメラドアホン２０および情報配信・蓄積装置４０へ不在信号を通知する。共同玄関カメラドアホン２０は不在信号を受信すると、ステップＳ１７でタッチパネル等の操作部２３へ居住者が不在であることをメッセージ表示する。
【００２０】
また、情報配信・蓄積装置４０は不在信号を受信すると、ステップＳ１８で制御部４３が共同玄関カメラドアホン２０のネットワークカメラ２４へ映像転送終了信号を送信し、ネットワークカメラ２４は映像の転送を終了する。その後、制御部４３はステップＳ１９でネットワークカメラ２４の映像と日時等の訪問情報を配信形式に変換して該当する住戸に関連付けて蓄積部４５へ蓄積する。
【００２１】
次に、ステップＳ１９で蓄積した不在時の映像および情報を各住戸に設置された住戸端末、例えば１１２で閲覧する動作を、図４に示すフローチャートを用いて説明する。
まず、居住者はステップＳ２０で各住戸に設置された住戸端末１１２の画面をテレビ１１３等に表示して、不在時に来訪者があったかどうかを確認する。住戸端末１１２の画面は、住戸別に情報配信・蓄積装置４０から配信される情報のうち、例えば不在訪問の日時等をリスト等で表示する。
【００２２】
居住者は、ステップＳ２１で画面内から閲覧したい情報を選択する。選択は例えば住戸端末１１２用のリモコン等によって行なう。次に、ステップＳ２２で住戸端末１１２は情報配信・蓄積装置３０へステップＳ２１で選択された情報の配信要求を行なう。情報配信・蓄積装置４０は、ステップＳ２３で要求された情報を蓄積部４５内の蓄積情報から取り出して住戸端末へ配信する。住戸端末１１２はステップＳ２４で配信された情報を映像化し、テレビ１１３へ映像出力を行なう。
【００２３】
以上のように、実施の形態１は、共同玄関カメラドアホン２０の映像を、呼び出しを行なった住戸別にＬＡＮ回線経由で高速配信することができる。また、実施の形態１の配信形式はＷＥＢ配信形式であるため、共同玄関カメラドアホン２０の映像以外のＷＥＢ配信形式の情報をも配信することが出来る。
【００２４】
実施の形態２．
次に、この発明の実施の形態２を図にもとづいて説明する。図５は、実施の形態２の構成を示すブロック図で、実施の形態１の構成に配信情報の入力・編集を行なう構成を付加したものである。この図において、図１と同一または相当部分には同一符号を付して説明を省略する。図１と異なる点は情報編集装置５０を付加した点である。
【００２５】
情報編集装置５０は例えば集合住宅内の管理人室に設置され、管理人が情報の入力および編集、管理を行なうことができる装置であり、配信情報は、例えば、管理人の荷物預かり状況や、新居住者への歓迎メッセージ等の住戸毎の情報や、マンション施設案内や地域イベント等の住戸共通の情報等である。
【００２６】
情報編集装置５０は、図５に示すように、住戸番号選択部５１と、情報選択部５２と、入力フォーム５３と、メッセージ入力部５４と、配信情報生成部５５と、プレビュー部５６とから構成されている。住戸番号選択部５１は、これから編集する情報の配信対象の住戸番号を選択する部分であり、情報入力者が情報入力時に住戸番号を選択する。情報選択部５２は配信情報の種類を選択する部分であり、配信情報の種類に応じた入力フォーム５３を予め登録している。
【００２７】
メッセージ入力部５４はメッセージを入力する部分であり、情報入力者が選択・入力を行なう。配信情報生成部５５は、情報選択部５２、メッセージ入力部５４の選択・入力に応じて配信形式の情報を自動的に生成し、生成した情報を住戸番号選択部５１で選択された住戸番号に関連付けて情報配信・蓄積装置４０へ転送する。また、プレビュー部５６は、配信情報生成部５５で生成された配信情報のプレビューを行なう。また、配信を行なう情報は住戸毎に生成・管理を行なうため、入居・退居時の住戸配信情報の編集を容易に行なうことが出来る。
【００２８】
実施の形態２は以上のように構成されているため、簡単な選択・入力で配信情報を容易に生成・編集することができる。
【００２９】
実施の形態３．
次に、この発明の実施の形態３を図にもとづいて説明する。図６は、実施の形態３の構成を示すブロック図で、実施の形態１の構成に、集合住宅の外部へ情報を配信することができる機能を付加したものである。この図において、図１と同一または相当部分には同一符号を付して説明を省略する。図１と異なる点は認証・外部配信装置６０を付加した点である。
【００３０】
認証・外部配信装置６０は集合住宅の居住者が集合住宅外からの配信要求を行なった場合に、居住者の認証を行なった上で外部の居住者に情報を配信する装置であり、外部からの情報配信要求を外部インタフェース６１で受け付け、制御部６２が認証部６３によって外部から接続される居住者の認証を行なうと共に、情報配信・蓄積装置４０に保存されている住戸毎の情報を外部配信形式に変換し、その情報を外部配信部６４から配信するものである。居住者の外部からの接続要求は、例えば携帯電話、パソコン等に標準搭載されたインターネットプラウザを使用して行なう。
【００３１】
次に、実施の形態３の動作を図７に示すフローチャートにもとづいて説明する。まず、ステップＳ５１で居住者が集合住宅外から携帯電話、ＰＣ等のインターネットプラウザを用いて外部インタフェース６１へ接続要求を行ない、ステップＳ５２でＩＤ、パスワード等を入力する。
認証・外部配信装置６０は、集合住宅外からの接続が出来るようにＩＰアドレス、ＵＲＬ等を予め取得する。次に、ステップＳ５３で認証・外部配信装置６０の制御部６２が、認証部６３によりステップＳ５２で入力されたＩＤ、パスワードの認証を行なう。
【００３２】
認証結果が「ＹＥＳ」の場合、つまり入力されたＩＤ、パスワードが正しい場合には、ステップＳ５４で接続要求先の携帯電話等に対して情報配信メニューを配信する。
集合住宅の外部から接続を行なった居住者は、ステップＳ５５で配信された情報配信メニューで、携帯電話やＰＣ等、現在接続を行なっている接続対象を選択し、認証・外部配信装置６０に対して閲覧を行なう情報の配信要求を行なう。
【００３３】
認証・外部配信装置６０は、ステップＳ５７で制御部６２により情報配信要求に応じた情報を情報配信・蓄積装置４０から入手し、その情報をステップＳ５５で選択された接続対象に応じた配信形式にステップＳ５８で変換し、ステップＳ５９で情報を配信する。
【００３４】
一方、ステップＳ５３で認証結果が「ＮＯ」の場合、つまり入力されたＩＤ、パスワードが不正な場合には、ステップＳ５２に戻り再度ＩＤ、パスワードの入力を要求する。
【００３５】
実施の形態３は以上のように構成されているため、居住者の外出時に、居住者が集合住宅の外部から携帯電話やＰＣ等を用いて情報配信・蓄積装置４０に蓄積されている来訪者情報等を閲覧することが可能となる。
【図面の簡単な説明】
【００３６】
【図１】この発明の実施の形態１の構成を示すブロック図である。
【図２】実施の形態１の動作説明用のフローチャートである。
【図３】実施の形態１の動作説明用のフローチャートである。
【図４】実施の形態１の動作説明用のフローチャートである。
【図５】この発明の実施の形態２の構成を示すブロック図である。
【図６】この発明の実施の形態３の構成を示すブロック図である。
【図７】実施の形態３の動作説明用のフローチャートである。
【符号の説明】
【００３７】
１  集合住宅情報配信システム、  １０  ＬＡＮ回線、  １１、１２  住戸通信装置、
２０  共同玄関カメラドアホン、  ２１  スピーカー、  ２２  マイク、
２３  操作部、  ２４  カメラ、  ２５  共同玄関インタフェース、
３０  通信制御装置、  ３１  制御部、  ３２  交換処理部、
３３  内線インタフェース、  ３４  共同玄関インタフェース、
４０  情報配信・蓄積装置、  ４１  配信部、  ４２  制御インタフェース、
４３  制御部、  ４４  カメラインタフェース、  ４５  蓄積部、
５０  情報編集装置、  ５１  住戸番号選択部、  ５２  情報選択部、
５３  入力フォーム、  ５４  メッセージ入力部、  ５５  配信情報生成部、
５６  プレビュー部、  ６０  認証・外部配信装置、  ６１  外部インタフェース、
６２  制御部、  ６３  認証部、  ６４  外部配信部。
【図１】
2005223623.tif 000003
【図２】
2005223623.tif 000004
【図３】
2005223623.tif 000005
【図４】
2005223623.tif 000006
【図５】
2005223623.tif 000007
【図６】
2005223623.tif 000008
【図７】
2005223623.tif 000009